(57)【特許請求の範囲】
【請求項１】
配線パターンが形成されている第１基板と、
前記第１基板上に搭載可能な入力ユニットであって、被操作部材と、前記被操作部材の操作に応じて信号を出力する第１無線通信モジュールと、前記配線パターンと接触し、前記第１無線通信モジュールに電源を供給する第１端子とを有する入力ユニットと、
前記入力ユニットの前記第１基板上の位置を規定する位置規定部材と
を備えることを特徴とする操作装置。
【請求項２】
前記入力ユニットは、前記第１基板と前記位置規定部材との間に設けられることを特徴とする請求項１に記載の操作装置。
【請求項３】
前記第１基板が搭載される底部、周囲に形成された外壁部、及び当該外壁部の上端に形成される前記位置規定部材を嵌入するための切り欠き部を有するカバーを備えることを特徴とする請求項１又は２に記載の操作装置。
【請求項４】
前記第１無線通信モジュールと無線通信する第２無線通信モジュールをさらに備えることを特徴とする請求項１乃至３のいずれか１項に記載の操作装置。
【請求項５】
前記第１無線通信モジュールのアドレスと、当該第１無線通信モジュールを搭載する入力ユニットの種類とを関連付けた情報を記憶する制御装置を備えることを特徴とする請求項１乃至４のいずれか１項に記載の操作装置。
【請求項６】
前記入力ユニットは、前記位置規定部材と接触し、前記入力ユニットに接地電位を供給する第２端子を備えることを特徴とする請求項１乃至５のいずれか１項に記載の操作装置。
【請求項７】
前記入力ユニットは、発光部材を有することを特徴とする請求項１乃至６のいずれか１項に記載の操作装置。
【請求項８】
前記位置規定部材は、前記被操作部材を前記位置規定部材上に露出するための開口部を有することを特徴とする請求項１乃至７のいずれか１項に記載の操作装置。
【発明の詳細な説明】
【技術分野】
【０００１】
本発明は操作装置に関する。
【背景技術】
【０００２】
スイッチユニット及びエンコーダユニットなどの入力ユニットが設けられた操作装置が知られている。ユーザがこうした入力ユニットを操作することで、操作装置に信号が入力される。
【０００３】
例えば、特許文献１には、各々がスイッチを含む複数のスイッチ部と、スイッチをＯＮ／ＯＦＦさせる押圧ピンを突設した複数の操作ボタンとを備える操作装置が記載されている。特許文献２には、特許文献１の操作装置と同様のボタン操作装置が記載されている。特許文献３には、各々が多数の操作表示要素を含む複数のユニットと、複数の取付部とを備える操作装置が記載されている。この操作装置では、各ユニットが複数の取付部の任意の位置に装着可能である。特許文献１〜３の操作装置では、ユーザの好みに応じて、操作ボタン又はユニットの位置を変更することができる。
【先行技術文献】
【特許文献】
【０００４】
【特許文献１】特開平１０−２２３０９０号公報
【特許文献２】特開平１０−２６９００２号公報
【特許文献３】特開平５−９４０５７号公報
【発明の概要】
【発明が解決しようとする課題】
【０００５】
しかしながら、特許文献１，２の操作装置では、複数のスイッチ部の位置は固定されており、各操作ボタンは複数のスイッチ部のいずれかの上方に配置される必要がある。つまり、特許文献１，２では、各操作ボタンの位置を変更することはできるが、各操作ボタンの位置は、予め規定された複数の位置（即ち、複数のスイッチ部が設けられている複数の位置）の中から選択しなければならない。特許文献３の操作装置では、複数の取付部が操作装置の本体に設けられているので、各ユニットの位置を変更することはできるが、各ユニットの位置は、予め規定された複数の位置（即ち、複数の取付部が設けられている複数の位置）の中から選択しなければならない。従って、特許文献１〜３の操作装置では、操作ボタン又はユニットの配置の自由度が制限される。
【０００６】
本発明は、上記課題に鑑み、入力ユニットの配置を自由に変更することが可能な操作装置を提供することを目的とする。
【課題を解決するための手段】
【０００７】
本発明に係る操作装置は、配線パターンが形成されている第１基板と、前記第１基板上に搭載可能な入力ユニットであって、被操作部材と、前記被操作部材の操作に応じて信号を出力する第１無線通信モジュールと、前記配線パターンと接触し、前記第１無線通信モジュールに電源を供給する第１端子とを有する入力ユニットと、前記入力ユニットの前記第１基板上の位置を規定する位置規定部材と
を備える。
【発明の効果】
【０００８】
本発明によれば、入力ユニットの配置を自由に変更することが可能な操作装置を提供することができる。
【図面の簡単な説明】
【０００９】
【図１】図１は操作装置の分解斜視図である。
【図２】図２（ａ）及び図２（ｂ）は操作装置を例示する斜視図である。図２（ｃ）はプレートの一例を示す斜視図である。
【図３】図３（ａ）から図３（ｃ）は基板を例示する平面図である。
【図４】図４（ａ）はスイッチユニットの斜視図である。図４（ｂ）はスイッチユニットの側面図である。図４（ｃ）はスイッチユニットの斜視図である。図４（ｄ）はスイッチユニットの側面図である。図４（ｅ）はロータリーエンコーダユニットの斜視図である。図４（ｆ）はロータリーエンコーダユニットの側面図である。
【図５】図５（ａ）はスライド抵抗ユニットの斜視図であり、図５（ｂ）はスライド抵抗ユニットの側面図である。
【図６】図６（ａ）は操作装置の構成を例示するブロック図である。図６（ｂ）はＨＤＤの記憶するデータテーブルを示す図である。
【図７】図７はＣＰＵの実行する処理を示すフローチャートである。
【発明を実施するための形態】
【００１０】
図面を用いて本発明の実施の形態について説明する。
【００１１】
本実施の形態に係る操作装置１００は、例えば、ゲーム機、医療機器などを操作するための電子装置である。操作装置による操作対象は上記に限定されない。
【００１２】
図１は操作装置１００の分解斜視図である。図２（ａ）及び図２（ｂ）は操作装置１００を例示する斜視図である。図２（ｃ）はプレート１７を示す斜視図である。
【００１３】
図１に示すように、操作装置１００は、本体１０、基板１１及び１３、カバー１２、ならびにプレート１４（位置規定部材）を備える。
【００１４】
本体１０には凹部１０ａが設けられている。また、本体１０は例えば液晶ディスプレイなどの表示部１５を備え、さらに内部にＣＰＵ７０やメモリ７１（図６（ａ）参照）などを備える。
【００１５】
基板１１は本体１０の凹部１０ａの底面に配置される。基板１１には、無線通信モジュール１６が搭載されている。この無線通信モジュール１６は、上記プロセッサと電気的に接続されており、信号を送受信する。また、無線通信モジュール１６は基板１３の裏面（凹部１０ａと対向する面）に搭載されてもよい。無線通信モジュール１６を基板１３に搭載する場合、操作装置１００は、基板１１を備えなくてもよい。
【００１６】
本体１０の凹部１０ａ及び基板１１を覆うように、本体１０のフレーム１０ｂ上にカバー１２が配置される。カバー１２は、本体１０のフレーム１０ｂ上に、接着、圧入又はネジ止めにより固定される。カバー１２は、底部１２ｄ及び外壁部１２ｂを備え、カバー１２の中央には、凹部１２ａが設けられている。底部１２ｄ上には基板１３が配置される。外壁部１２ｂの上端には、プレート１４を嵌入するための切り欠き部１２ｃが形成されている。
【００１７】
図３（ａ）から図３（ｃ）は基板１３を例示する平面図である。図３（ａ）に示すように、基板１３の上面の全面に、配線パターン１３ａ（ハンチングの領域）及び絶縁部１３ｂが設けられている。図３（ａ）に図示される配線パターン１３ａは例えば銅などの金属からなる格子状のパターンであり、配線パターン１３ａには本体１０から電源が供給されている。なお、配線パターン１３ａは、図３（ｂ）のように丸型でも、または図３（ｃ）のように矩形でもよいし、図３（ａ）〜図３（ｃ）に示した形状以外の形状でもよい。また、丸型や矩形の配線パターン１３ａは、基板１３の上面の全面に、等間隔で配置されているのが好ましい。ただし、配線パターン１３ａの配置はこれらに限定されない。
【００１８】
図１に戻り、基板１３の上には、複数の入力ユニット６５が配置される。なお、操作装置１００は少なくとも１つの入力ユニット６５を備えていればよい。入力ユニット６５は、例えば、スイッチユニット２０，４０、ロータリーエンコーダユニット５０又はスライド抵抗ユニット６０である。入力ユニット６５は、プレート１４と基板１３との間に挟まれるようにして操作装置１００に配置される。プレート１４は、外壁部１２ｂの切り欠き部１２ｃに嵌入される。また、プレート１４を、圧入又はネジ止めによって外壁部１２ｂの切り欠き部１２ｃに固定するようにしてもよい。プレート１４には開口部１４ａ〜１４ｄ（即ち、穴１４ａ、１４ｂ及び１４ｃ、ならびにスリット１４ｄ）が設けられており、こうした開口部１４ａ〜１４ｄに入力ユニット６５が挿入され、入力ユニット６５の位置が固定される。このように、プレート１４は、入力ユニット６５の位置決めの機能を有する。
【００１９】
本体１０の凹部１０ａに基板１１を搭載し、本体１０のフレーム１０ｂ上にカバー１２を固定し、基板１３上に入力ユニット６５を配置し、プレート１４を外壁部１２ｂの切り欠き部１２ｃに嵌入することで、図２（ａ）に示すような操作装置１００が形成される。図２（ａ）に示すように、スイッチユニット２０の一部（例えばキートップ）は穴１４ａから露出し、スイッチユニット４０の一部（例えばキートップ）は穴１４ｂから露出する。ロータリーエンコーダユニット５０の一部（例えば、回転可能なノブ）は穴１４ｃから露出し、スライド抵抗ユニット６０の一部（例えば、左右にスライド可能なキー）はスリット１４ｄから露出する。ユーザはこれらの入力ユニット６５を操作することで、操作装置１００のＣＰＵ７０（図６（ａ）参照）に操作信号を入力することができる。
【００２０】
また、図２（ｂ）に示すように、操作装置１００においては基板１３上の入力ユニット６５の位置を変更することが可能である。入力ユニット６５の位置は、プレート１４の穴１４ａ、１４ｂ及び１４ｃ、ならびにスリット１４ｄにより決定される。このため、図１、図２（ａ）のプレート１４を、図２（ｃ）に示すような穴１４ａ、１４ｂ及び１４ｃ、ならびにスリット１４ｄの位置が異なる別のプレート１７に交換することにより、入力ユニット６５の位置を変更することができる。
【００２１】
このように、操作装置１００に搭載するプレートは交換可能となっており、要望されるキー配置に応じて適宜交換することができる。
【００２２】
次に、入力ユニット６５について説明する。図４（ａ）はスイッチユニット２０の斜視図であり、図４（ｂ）はスイッチユニット２０の側面図である。
【００２３】
図４（ａ）及び図４（ｂ）に示すように、スイッチユニット２０は、円盤状のキートップ２１（被操作部材）、基板３０及びハウジング３１を備える。また、図４（ｂ）に示すように、基板３０の上面に、ギアリンク２２、スイッチ２３及びＬＥＤ（Light Emitting Diode：発光ダイオード）２９（発光部材）が設けられている。スイッチユニット２０にはさらに、基板３０の上面に端子２８（第２端子）が設けられている。端子２８は、導電性の部材で構成され、図４（ｂ）に示すように、クランク状に曲げられている。図４（ａ）に示すように、端子２８の底部２８ａは平板状であり、ギアリンク２２用の開口部２８ｄを有し、基板３０及びハウジング３１にネジ２７で固定されている。端子２８の鉛直部２８ｂは、底部２８ａの一辺から鉛直上方に延設されている。端子２８の接触部２８ｃは、鉛直部２８ｂの上端から外側に向けて水平に延設されて、プレート１４の下面に設けられた導体層１４ｅに接触する。
【００２４】
基板３０の下面（第２面）に、板状のバネ２４（第１端子）、ＩＣ（Integrated Circuit：集積回路）２５、及び無線通信モジュール２６が設けられている。
【００２５】
ハウジング３１は基板３０の下面を囲むように設けられ、基板１３に接触してスイッチユニット２０を支持する。一方、スイッチユニット２０の上部には、キートップ２１及びギアリンク２２を取り囲むように端子２８の底部２８ａ上に形成されるハウジング３２が設けられている。ハウジング３２は、プレート１４を支持する。なお、図４（ｂ）においては、ハウジング３１及び３２を点線で示している。一方、図４（ａ）では、ギアリンク２２用の開口部２８ｄ及びネジ２７を示すために、ハウジング３２は省略されている。同様に、後述する図４（ｃ）、図４（ｅ）及び図５（ａ）においても、ハウジング３２は省略されている。
【００２６】
キートップ２１はギアリンク２２を介して基板３０上に設けられており、図４（ｂ）に示すように、プレート１４の穴１４ａから露出する。
【００２７】
キートップ２１は例えば樹脂などの絶縁体により形成されている。また、キートップ２１の全体又は一部はＬＥＤ２９からの光を透過する透明な材料で形成されていてもよい。ハウジング３１及び３２は樹脂などの絶縁体により形成されている。
【００２８】
プレート１４の下面には導体層１４ｅが設けられている。導体層１４ｅは、例えば蒸着されたアルミニウムなどの金属、または塗装された導電性物質などにより形成されている。端子２８は金属（合金、アルミニウムなど）により形成されており、導体層１４ｅに接触する。端子２８の接触部２８ｃが導体層１４ｅと電気的に接触することで、ＩＣ２５及び無線通信モジュール２６に接地電位を供給する。
【００２９】
バネ２４は例えば金属などの導体からなる板バネである。バネ２４の一端は基板１３の配線パターン１３ａに接触し、他端は基板３０に固定される。配線パターン１３ａに接触するバネ２４の一端は基板１３に固定されていないので、スイッチユニット２０を基板１３上で移動させることができる。バネ２４は、基板１３の配線パターン１３ａと電気的に接続され、基板１３からＩＣ２５及び無線通信モジュール２６に電源を供給する端子として機能する。
【００３０】
ギアリンク２２はキートップ２１を支持しており、その一端はキートップ２１に連結され、他端は基板３０に連結されている。ユーザがキートップ２１を押下すると、スイッチ２３がキートップ２１により押し下げられ、スイッチ２３がオンになる。このとき、ＩＣ２５はスイッチ２３がオンになったことを検出し、ＩＣ２５による検出に伴い、無線通信モジュール２６は基板１１上の無線通信モジュール１６に無線信号を出力する。操作装置１００は、無線通信モジュール１６の受信する信号に応じて動作する。
【００３１】
また、本体１０の無線通信モジュール１６は、スイッチユニット２０からの信号の入力に応じて、ＬＥＤ２９の点灯信号を無線通信モジュール２６に出力する。ＩＣ２５は、無線通信モジュール２６の受信する点灯信号に応じて、ＬＥＤ２９を点灯させる。ＬＥＤ２９の光はハウジング３２にさえぎられるため、スイッチユニット２０の水平方向にはもれにくく、上方に照射される。ユーザはＬＥＤ２９の光を見ることで、スイッチユニット２０の操作の有無及び／又は操作内容を確認することができる。なお、ＬＥＤ２９以外の発光部材をスイッチユニット２０に設けてもよい。
【００３２】
図４（ｃ）はスイッチユニット４０の斜視図であり、図４（ｄ）はスイッチユニット４０の側面図である。スイッチユニット４０は、キートップ２１に代えて六面体のキートップ４１を備える。キートップ４１は例えば樹脂などの絶縁体により形成されている。また、例えば、キートップ４１の全体又は一部はＬＥＤ２９からの光を透過する透明な材料で形成されていてもよい。図４（ｄ）に示すように、キートップ４１はプレート１４の穴１４ｂから露出する。スイッチユニット４０の他の構成はスイッチユニット２０と同じである。
【００３３】
図４（ｅ）はロータリーエンコーダユニット５０の斜視図であり、図４（ｆ）はロータリーエンコーダユニット５０の側面図である。ロータリーエンコーダユニット５０は、キートップ２１及びギアリンク２２に代えて、ノブ５１及び支柱５２を備える。ノブ５１は例えば樹脂などの絶縁体により形成されている。また、例えば、ノブ５１の全体又は一部はＬＥＤ２９からの光を透過する透明な材料で形成されていてもよい。支柱５２は基板３０の上面に設けられ、ノブ５１を支持する。図４（ｆ）に示すように、ノブ５１はプレート１４の穴１４ｃから露出しており、ユーザはノブ５１を回転させることができる。ロータリーエンコーダユニット５０の他の構成はスイッチユニット２０と同じである。
【００３４】
ロータリーエンコーダユニット５０のＩＣ２５は、ノブ５１の回転量を検出し、無線通信モジュール２６を用いて、基板１１上の無線通信モジュール１６にノブ５１の回転量に応じた信号を出力する。これにより、操作装置１００は、ロータリーエンコーダユニット５０の操作に伴う動作をする。また、無線通信モジュール２６は、無線通信モジュール１６から出力された、ノブ５１の回転量に応じた点灯信号を受信し、ＩＣ２５はＬＥＤ２９を点灯させる。例えば、ＩＣ２５は受信した点灯信号に応じて、ＬＥＤ２９を点滅させたり、ＬＥＤ２９の発光色、発光量又は点滅間隔を変更することができる。
【００３５】
図５（ａ）はスライド抵抗ユニット６０の斜視図であり、図５（ｂ）はスライド抵抗ユニット６０の側面図である。スライド抵抗ユニット６０は、キートップ２１及びギアリンク２２に代えて、キー６１、ベース６２、及び支柱６３を備える。キー６１は例えば樹脂などの絶縁体により形成されている。また、例えば、キー６１の全体又は一部はＬＥＤ２９からの光を透過する透明な材料で形成されていてもよい。スライド抵抗ユニット６０の他の構成はスイッチユニット２０と同じである。
【００３６】
４つのベース６２は基板３０の上面に設けられている。各ベース６２には支柱６３が設けられ、支柱６３の上にはキー６１が支持されている。支柱６３はプレート１４のスリット１４ｄを貫通しており、キー６１はプレート１４の上側に露出する。ユーザは、ベース６２のスリット６２ａに沿ってキー６１をスライドさせる。
【００３７】
スライド抵抗ユニット６０のＩＣ２５はユーザがキー６１をスライドさせたことを検出し、無線通信モジュール２６は基板１１上の無線通信モジュール１６にキー６１のスライド量に応じた信号を出力する。操作装置１００は、スライド抵抗ユニット６０の操作に伴う動作をする。また、無線通信モジュール２６は、無線通信モジュール１６の送信する、キー６１のスライド量に応じた点灯信号を受信し、ＩＣ２５はＬＥＤ２９を点灯させる。例えば、ＩＣ２５は受信した点灯信号に応じて、ＬＥＤ２９を点滅させたり、ＬＥＤ２９の発光色、発光量又は点滅間隔を変更することができる。
【００３８】
図６（ａ）は操作装置１００の構成を例示するブロック図である。図６（ａ）に示すように、操作装置１００は、表示部１５、無線通信モジュール１６及び２６に加え、さらに本体１０にＣＰＵ（Central Processing Unit：中央演算処理装置）７０、メモリ７１、及びＨＤＤ（Hard Disc Drive：ハードディスクドライブ）７２を備える。ＣＰＵ７０、メモリ７１、ＨＤＤ７２、表示部１５及び無線通信モジュール１６はシステムバス７３により接続されている。ＣＰＵ７０、メモリ７１及びＨＤＤ７２は、制御装置７４として機能する。
【００３９】
ＣＰＵ７０は操作装置１００全体の動作を制御する。メモリ７１はワーキング・スペースとして機能する。無線通信モジュール１６は、例えばＢｌｕｅｔｏｏｔｈ（登録商標）などの通信方式を用いて、各入力ユニットの無線通信モジュール２６と無線通信を行う。無線通信モジュール１６がマスターとして機能し、無線通信モジュール２６はスレーブとして機能する。ＨＤＤ７２は、所定のプログラム及びデータなどを記憶しており、さらに図６（ｂ）に示すデータテーブルを記憶している。
【００４０】
図６（ｂ）に示すように、データテーブルには、入力ユニット６５のアドレスと入力ユニット６５とが関連付けられて格納されている。アドレスは、複数の入力ユニット６５から１つの入力ユニット６５を識別するための情報であり、無線通信モジュール１６及び２６間の通信に用いられる。なお、図６（ｂ）においては、複数のスイッチユニット２０には「２０−１」、「２０−２」などの番号を付与している。スイッチユニット４０、ロータリーエンコーダユニット５０についても同様に番号を付与している。
【００４１】
図７はＣＰＵ７０の実行する処理を示すフローチャートである。図７の処理は本体１０と各入力ユニット６５とのペアリング（通信の確立）のための処理であり、例えば操作装置１００の電源がオンにされたときに行われる。
【００４２】
ステップＳ１において、ＣＰＵ７０は、各入力ユニット６５の無線通信モジュール２６を待ち受け状態にする。
【００４３】
次に、ステップＳ２において、ＣＰＵ７０は、複数の入力ユニット６５のうち１つの入力ユニット６５のアドレスを、ＨＤＤ７２に記憶されたデータテーブルから取得する。
【００４４】
次いでステップＳ３において、ＣＰＵ７０は、取得したアドレスに対応する入力ユニット６５との通信を確立する。具体的には、無線通信モジュール１６と、取得したアドレスに対応する入力ユニット６５の無線通信モジュール２６との通信を確立する。
【００４５】
その後、ステップＳ４において、ＣＰＵ７０は、全ての入力ユニット６５との通信を確立したか否かを判断する。全ての入力ユニット６５との通信が確立していない場合（ステップＳ４においてＮｏ）、ＣＰＵ７０はステップＳ２に戻る。全ての入力ユニット６５との通信が確立した場合（ステップＳ４においてＹｅｓ）、ＣＰＵ７０は図７の処理を終了する。
【００４６】
このように、操作装置１００の電源をオンにしたときに、各入力ユニット６５と本体１０との通信が確立される。したがって、各入力ユニット６５の配置を変更しても、配置変更後に操作装置１００の電源をオンにしたときに、各入力ユニット６５と本体１０との通信が確立されるので、操作装置１００に設置された各入力ユニット６５を用いて操作装置１００を操作することが可能である。
【００４７】
以上説明したように、本実施の形態によれば、操作装置１００は、配線パターン１３ａが形成されている基板１３と、基板１３上に搭載可能な入力ユニット６５であって、被操作部材と、被操作部材の操作に応じて信号を出力する無線通信モジュール２６と、配線パターン１３ａと接触し、無線通信モジュール２６に電源を供給するバネ２４とを有する入力ユニット６５と、入力ユニット６５の基板１３上の位置を規定するプレート１４とを備える。入力ユニット６５の配置を変更した場合でも、基板１３からバネ２４を通じて電源が入力ユニット６５に供給されるため、入力ユニット６５を用いて操作装置１００を操作することができる。したがって、基板１３の上において、入力ユニット６５の配置を自由に変更することが可能である。このため、ユーザは、好みに応じて、入力ユニット６５の配置を使いやすいものに変えることができる。
【００４８】
また、本実施の形態によれば、入力ユニット６５は、基板１３とプレート１４との間に設けられる。このため、入力ユニット６５の位置は、基板１３とプレート１４との間において規定される。
【００４９】
また、本実施の形態によれば、基板１３が搭載される底部１２ｄ、周囲に形成された外壁部１２ｂ、及び当該外壁部１２ｂの上端に形成されるプレートを嵌入するための切り欠き部１２ｃを有するカバー１２を備える。このため、基板１３及びプレート１４はカバー１２に安定して固定され、入力ユニット６５も基板１３上に安定して配置される。
【００５０】
また、本実施の形態によれば、無線通信モジュール２６と無線通信する無線通信モジュール１６をさらに備える。これにより、無線通信モジュール１６及び２６間の通信が可能となる。
【００５１】
また、本実施の形態によれば、無線通信モジュール２６のアドレスと、無線通信モジュール２６を搭載する入力ユニット６５の種類とを関連付けた情報を記憶する制御装置７４を備える。これにより、情報を用いて入力ユニット６５を識別することができ、無線通信モジュール１６及び２６間の通信が可能となる。
【００５２】
また、本実施の形態によれば、入力ユニット６５は、プレート１４と接触し、入力ユニット６５に接地電位を供給する端子２８を備える。入力ユニット６５は、基板１３から電源を得て、プレート１４から接地電位を得るため、基板１３上のどこに配置してもよい。このため配置の自由度が高まる。
【００５３】
また、本実施の形態によれば、入力ユニット６５は、ＬＥＤ２９を有する。ユーザは光により入力ユニット６５の操作の有無及び／又は操作内容を確認することができる。
【００５４】
また、本実施の形態によれば、プレート１４及び１７は、被操作部材をプレート上に露出するための開口部（穴１４ａ〜１４ｃ、スリット１４ｄ）を有する。これにより、開口部の配置の異なるプレートを用いることで、ユーザは自分の好みに応じ、入力ユニット６５の配置を変えることができる。また、入力ユニット６５が開口部に挿入されるため、プレートを本体１０から取り外すまで入力ユニット６５の位置は固定される。
【００５５】
なお、本実施の形態において、電源電圧を供給する端子をバネ２４としたが、端子がバネの機能を有さなくてもよい。
【００５６】
なお、本実施の形態において、プレート１４は、端子２８と接触する導体層１４ｅを有する又は導体で構成される。これにより、入力ユニット６５に接地電位を供給することができる。
【００５７】
なお、本実施の形態において、入力ユニット６５は、スイッチユニット２０及び４０、ロータリーエンコーダユニット５０ならびにスライド抵抗ユニット６０としたが、例えばジョイスティック及びタッチパネルなどでもよい。入力ユニット６５の被操作部材が基板３０の上面に搭載され、バネ２４が基板３０の下面に搭載されればよい。
【００５８】
また、本実施の形態において、入力ユニット６５は複数でもよいし一つでもよい。入力ユニット６５が一つでも、基板１３上における配置を制約なく変更することができる。
【００５９】
なお、操作装置１００は複数の無線通信モジュール１６を備えてもよい。この場合、複数の入力ユニット６５のうち一部が１つの無線通信モジュール１６と通信し、複数の入力ユニット６５のうち別の一部が別の無線通信モジュール１６と通信するなどのように、各無線通信モジュール１６に入力ユニット６５を割り当てることができる。
【００６０】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００６１】
１２                    カバー
１２ｂ                  外壁部
１２ｃ                  切り欠き部
１２ｄ                  底部
１３、３０              基板
１３ａ                  配線パターン
１４、１７              プレート
１４ａ、１４ｂ、１４ｃ  穴
１４ｄ                  スリット
１６、２６              無線通信モジュール
２０、４０              スイッチユニット
２４                    バネ
２８                    端子
３１、３２              ハウジング
５０                    ロータリーエンコーダユニット
６０                    スライド抵抗ユニット
６５                    入力ユニット
７４                    制御装置
１００                  操作装置
【図１】
0006407738.tif 000002
【図２】
0006407738.tif 000003
【図３】
0006407738.tif 000004
【図４】
0006407738.tif 000005
【図５】
0006407738.tif 000006
【図６】
0006407738.tif 000007
【図７】
0006407738.tif 000008